(57)【要約】【課題】屋内外での集会や催物や行事等に用いられる折畳み式テントフレームに於て、保管時の全高を低くすると共に、屋根構造の軽量化を図り、然も、張力調節に掛かる手間とコストを削減する。【解決手段】底平面方形を呈すべく配された縦横の梁材２と、隣接する梁材２同士を連結する継手３と、各継手３に設けられて梁材２に折重なる折畳み位置から直立位置まで折畳み可能な支柱４と、対角線上に位置する継手３間に着脱可能に架設される二つの索条５と、一方の索条５のみに設けられて張力を調節する張力調節器６とで構成し、とりわけ張力調節器６を単一にする。【選択図】        図２
2004316103.tif 000002
【特許請求の範囲】
【請求項１】
平面方形を呈すべく配された縦横の梁材と、隣接する梁材同士を連結する継手と、各継手に設けられて梁材に折重なる折畳み位置から直立位置まで折畳み可能な支柱と、対角線上に位置する継手間に着脱可能に架設される二つの索条と、一方の索条のみに設けられて張力を調節する張力調節器と、から構成した事を特徴とする折畳み式テントフレーム。
【請求項２】
両索条の交差部には、頂点支柱が着脱可能に立設されている請求項１に記載の折畳み式テントフレーム。
【請求項３】
継手は、縦梁材が嵌合される縦筒体と、横梁材が嵌合される横筒体と、支柱が嵌合される垂直筒体と、索条の端部を係止する係止部とを備え、垂直筒体と支柱との間には、支柱が嵌合される嵌合位置とこれから下方に引き抜かれて折畳み可能な引き抜き位置とをとり得る枢軸手段が設けられている請求項１に記載の折畳み式テントフレーム。
【請求項４】
継手は、縦筒体と横筒体を備えた上継手と、垂直筒体を備えた下継手とに二分割されていると共に、これらの間には下継手に対して上継手を横軸廻りに回動可能にする角度調節手段が設けられている請求項３に記載の折畳み式テントフレーム。
【発明の詳細な説明】
【０００１】
【発明の属する技術分野】
本発明は、例えば屋内外での集会や催物や行事等に用いられる折畳み式テントフレームの改良に関する。
【０００２】
【従来の技術】
従来、テントフレームとしては、支柱を折畳み式にして保管時の全高を低くするもの（特許文献１、特許文献２）や、屋根構造に索条と頂点支柱を用いて軽量化を図ったもの（特許文献３参照）が知られている。
【０００３】
【特許文献１】
特開２００１−３０３８００号公報
【特許文献２】
特開２００２−１３８７１３号公報
【特許文献３】
特開２００２−８１２２７号公報
【０００４】
【発明が解決しようとする課題】
ところが、何れのものも、一長一短があり、保管時の全高を低くすると共に、屋根構造の軽量化を図るものがなかった。又、後者のものは、各索条毎に張力調節器を設けていたので、張力調節に手間が掛かると共に、コストが高く付く難点があった。
【０００５】
本発明は、叙上の問題点に鑑み、これを解消する為に創案されたもので、その課題とする処は、保管時の全高を低くすると共に、屋根構造の軽量化を図り、然も、張力調節に掛かる手間とコストを削減できる様にした折畳み式テントフレームを提供するにある。
【０００６】
【課題を解決するための手段】
本発明の折畳み式テントフレームは、基本的には、平面方形を呈すべく配された縦横の梁材と、隣接する梁材同士を連結する継手と、各継手に設けられて梁材に折重なる折畳み位置から直立位置まで折畳み可能な支柱と、対角線上に位置する継手間に着脱可能に架設される二つの索条と、一方の索条のみに設けられて張力を調節する張力調節器と、から構成した事に特徴が存する。
【０００７】
各支柱を折畳み位置にすると、折畳み式テントフレームの全高が低くなる。従って、これの保管や運搬が容易になる。
各支柱を直立位置にすると、折畳み式テントフレームが立ち上がり、使用可能になる。
張力調節器に依り一方の索条を緊張させると、四つの梁材に依り形成される方形の一方の対角線間が短縮される。そうすると、前記方形が極端に言えば菱形に変形される事になり、他方の対角線間が伸長されてこの間にある索条が自動的に緊張される。従って、張力調節器は、一方の索条のみに設けて置けば良く、各索条に設ける必要がない。
【０００８】
両索条の交差部には、頂点支柱が着脱可能に立設されているのが好ましい。この様にすれば、中心を高くした所謂角錐型の屋根構造にする事ができる。
【０００９】
継手は、縦梁材が嵌合される縦筒体と、横梁材が嵌合される横筒体と、支柱が嵌合される垂直筒体と、索条の端部を係止する係止部とを備え、垂直筒体と支柱との間には、支柱が嵌合される嵌合位置とこれから下方に引き抜かれて折畳み可能な引き抜き位置とをとり得る枢軸手段が設けられているのが好ましい。この様にすれば、支柱の直立位置の時には、支柱が継手の垂直筒体に嵌合されるので、強度が増大する。
【００１０】
継手は、縦筒体と横筒体を備えた上継手と、垂直筒体を備えた下継手とに二分割されていると共に、これらの間には下継手に対して上継手を横軸廻りに回動可能にする角度調節手段が設けられているのが好ましい。この様にすれば、支柱に対して縦梁材を傾斜させる事ができ、所謂片流れ型の屋根構造にする事ができる。
【００１１】
【発明の実施の形態】
以下、本発明の実施の形態を、図面に基づいて説明する。
図１は、本発明の第一例に係る折畳みテントフレームを示す正面図。図２は、図１の平面図。図３は、折畳み状態を示す正面図。図４は、要部を拡大して示す正面図。図５は、要部を拡大して示す側面図。図６は、要部を拡大して示す平面図。図７は、図６の縦断面図である。
【００１２】
折畳み式テントフレーム１は、梁材２、継手３、支柱４、索条５、張力調節器６とからその主要部が構成されている。
【００１３】
梁材２は、平面方形を呈すべく配された縦横のもので、この例では、左右の縦梁材７と前後の横梁材８とを備えて居り、同じ長さのアルミ製の角パイプが用いられてこれらが平面正方形を呈すべく配されている。
而して、各梁材２の下面には、これらと略同じ長さのカーテンレール９が付設されて居り、これには、図略しているが、カーテンが吊下げられる。
【００１４】
継手３は、隣接する梁材２同士を連結するもので、この例では、縦梁材７が嵌合される角筒状の縦筒体１０と、横梁材８が嵌合される同じく角筒状の横筒体１１と、支柱４が嵌合される同じく角筒状の垂直筒体１２と、縦筒体１０と横筒体１１との間に跨って設けられた水平リブ１３と、これと垂直筒体１２との間に跨って設けられた垂直リブ１４と、水平リブ１３の上に設けられて索条５の端部を係止する係止部（フック）１５と、縦筒体１０と横筒体１１の外角部に設けられて補強用ロープ等（図示せず）が止結される穴付ブラケット１６とを備え、アルミダイキャストに依り作製されている。
縦筒体１０と横筒体１１には、縦梁材７と横梁材８を固定する為の固定具（蝶ボルト）１７が設けられている。垂直筒体１２と支柱４との間には、支柱４が嵌合される嵌合位置とこれから下方に引き抜かれて折畳み可能な引き抜き位置とをとり得る枢軸手段１８が設けられていると共に、支柱４を垂直位置に固定する為の固定具（ボルトと蝶ナット）１９が設けられている。
【００１５】
枢軸手段１８は、継手３の垂直筒体１２に設けられた高さ方向に長い長穴２０と、支柱４に穿設された貫孔２１と、これらに挿通されて継手３の垂直筒体１２と支柱４とを枢結する枢結具（ボルトと袋ナット）２２と、継手３の垂直筒体１２に設けられて折畳み位置の支柱４との干渉を回避する切欠２３とを備え、継手３に対して支柱４を縦（前後方向）軸廻りに回動できる様にしてある。
【００１６】
支柱４は、各継手３に設けられて梁材２に折重なる折畳み位置から垂直位置まで折畳み可能なもので、この例では、梁材２と同様のアルミ製の角パイプが用いられて居り、横梁材８及び他方の支柱４に折重なる折畳み位置から垂直位置まで折畳み可能にしてあり、下部には、地面等に接地される座体２４が固定具（ボルトと蝶ナット）２５に依り着脱可能に設けられている。
【００１７】
索条５は、対角線上に位置する継手３間に着脱可能に設けられた二つのもので、この例では、ワイヤロープが用いられて居り、両端には、継手３の係止部１５に係止可能な環状部２６が結束具２７に依り形成されている。
【００１８】
張力調節器６は、一方の索条５のみに設けられて張力を調節するもので、この例では、ターンバックルが用いられて居り、一方の索条５の環状部２６に連結される小リング２８と、継手の係止部１５に係止される大リンク２９とを備えている。中央のナット部分を回動させる事に依り長さを調整できる様になっている。
【００１９】
両索条５の交差部には、頂点支柱３０が固定具３１に依り着脱可能に立設されている。
頂点支柱３０は、幕体Ａを角錐状に張る為のもので、アルミ製の丸パイプが用いられて居り、下部には、索条５の交差部が挿入される平面十字状の切溝３２が形成されている。固定具３１は、平面略Ｕ型を呈する締付環とこれの両端部に設けられたボルト・ナットとを備えている。
【００２０】
次に、この様な構成に基づいてその作用を述解する。
図３の実線は、折畳み式テントフレーム１の折畳み状態を示している。この場合、支柱４から座体２４が外され、左右のうちの一方（右側）の支柱４が横梁材８の下に折重なる様に折畳まれていると共に、他方（左側）の支柱４が一方（右側）の支柱４の下に折重なる様に折畳まれている。
折畳み状態では、図１に示す直立状態の時に比べて全高が極めて低くなって居り、運搬や保管が容易になる。
【００２１】
折畳み状態から、図３の鎖線で示す如く、頂点支柱３０が両索条５の交差部に立設されると共に、この上から幕体Ａが覆い被せられる。
そして、左右の支柱４が枢軸手段１８に依り引き抜き位置まで回動されると共に、嵌合位置まで持ち上げられて支柱４の上部が継手３の垂直筒体１２に嵌合された後、固定具１９に依り支柱４と継手３が結合される。
支柱４の下部には、座体２４が固定具２５に依り取付けられると共に、カーテンレール９には、図略しているが、カーテンが吊下げられる。そうすると、図１の様な直立状態となり、例えば更衣室代わりのテントとして使用できる。
【００２２】
張力調節器６に依り一方の索条５を緊張させると、四つの梁材２に依り形成される方形の一方の対角線間が短縮される。そうすると、前記方形が極端に言えば菱形に変形される事になり、他方の対角線間が伸長されてこの間にある他方の索条５が自動的に緊張される。
従って、張力調節器６は、一方の索条５のみに設けて置けば良く、各索条５に設ける必要がない。
勿論、両索条５の長さを予め設定して置き、張力調節器６に依り緊張させた後の四つの梁材２に依り形成される形状が、適正な方形になる様にして置く方が望ましい。
【００２３】
折畳み状態では、頂点支柱３０と幕体Ａを付けたままにして置いても良い。この場合には、支柱４を直立させるだけで、使用する事ができるので、一時的に保管する場合には、最適である。
折畳み式テントフレーム１は、梁材２、継手３、支柱４、一方の索条５、張力調節器を備えた他方の索条５、座体２４、頂点支柱３０等に分解できるので、これら部品としての運搬や保管も容易である。
【００２４】
次に、本発明の第二例を、図８乃至図１０に基づいて説明する。
図８は、本発明の第二例の折畳み式テントフレームを示す側面図。図９は、要部を拡大して示す正面図。図１０は、要部を拡大して示す側面図である。
【００２５】
第二例は、継手３を、縦筒体１０と横筒体１１を備えた上継手３３と、垂直筒体１２を備えた下継手３４とに二分割した点、これらの間には下継手３４に対して上継手３３を横軸廻りに回動可能にする角度調節手段３５を設けた点、支柱４を伸縮可能にした点、が第一例と異なり、その他は、第一例と同様である。
【００２６】
角度調節手段３５は、上継手３３と下継手３４とを枢結する枢結具（ボルトとナット）３６と、上継手３３と下継手３４との間に形成されて下継手３４に対して上継手３３を所定角度（５度）毎に係合させる歯部３７とを備えている。
支柱４は、上下に二分割されて居り、継手３の垂直筒体１２に嵌合される上支柱３８と、これの内部に摺動可能に挿入されて下部には座体が取付けられる下支柱３９とを備えている。上支柱３８と下支柱３９との間には、高さ調節手段４０が設けられている。
【００２７】
高さ調節手段４０は、上支柱３８の下部に穿設された貫孔４１と、下支柱３９の上半に一定間隔毎に穿設された複数の透孔４２と、貫孔４１と透孔４２の一つに挿通されて上支柱３８と下支柱３９を結合する結合具（ボルトと蝶ナット）４３とを備えている。
【００２８】
この様なものは、角度調節手段３５を備えているので、支柱４に対して、前側の継手３を鋭角度（８０度）にすると共に、後側の継手３を鈍角度（１００度）にする事に依り左右の縦梁材７を前側が高い所定の傾斜角度（１０度）を備えた傾斜状態にする事ができる。この場合には、頂点支柱３０が不要であり、索条５と幕体Ａとから成る屋根構造を、所謂片流れ型にする事ができる。
加えて、この場合には、高さ調節手段４０を備えているので、前側の支柱４を高くして後側の支柱４を低くする事ができる。
【００２９】
尚、梁材２は、先の例では、平面正方形であったが、これに限らず、例えば平面長方形であっても良い。
支柱４は、先の例では、縦（前後方向）軸廻りに折畳まれる様にしたが、これに限らず、例えば横（左右方向）軸廻りに折畳まれる様にしても良い。
索条５は、先の例では、ワイヤロープであったが、これに限らず、例えばチェーン等であっても良い。
張力調節器６は、先の例では、索条５の端部に設けたが、これに限らず、例えば索条５の中間部に設けても良い。
枢軸手段１８は、第二例では、設けていたが、これに限らず、例えばこれを割愛しても良い。この場合、支柱４の折畳みは、角度調節手段３５に依って兼用させる事ができる。
高さ調節手段４０は、第二例では、設けていたが、これに限らず、例えばこれを割愛しても良い。この場合、前後の支柱４は、縦梁材７の傾斜角度に見合った長さにする必要がある。
【００３０】
【発明の効果】
以上、既述した如く、本発明に依れば、次の様な優れた効果を奏する事ができる。
（１）  底平面方形を呈すべく配された縦横の梁材と、隣接する梁材同士を連結する継手と、各継手に設けられて梁材に折重なる折畳み位置から直立位置まで折畳み可能な支柱と、対角線上に位置する継手間に着脱可能に架設される二つの索条と、一方の索条のみに設けられて張力を調節する張力調節器とで構成し、支柱を折畳み可能にすると共に、屋根構造に索条と張力調節器を用いたので、保管時の全高を低くする事ができると共に、屋根構造の軽量化を図る事ができる。
（２）  張力調節器を単一にしたので、張力調節に掛かる手間とコストを削減できる。
【図面の簡単な説明】
【図１】本発明の第一例に係る折畳みテントフレームを示す正面図。
【図２】図１の平面図。
【図３】折畳み状態を示す正面図。
【図４】要部を拡大して示す正面図。
【図５】要部を拡大して示す側面図。
【図６】要部を拡大して示す平面図。
【図７】図６の縦断面図。
【図８】本発明の第二例に係る折畳みテントフレームを示す側面図。
【図９】要部を拡大して示す正面図。
【図１０】要部を拡大して示す側面図。
【符号の説明】
１…折畳み式テントフレーム、２…梁材、３…継手、４…支柱、５…索条、６…張力調節器、７…縦梁材、８…横梁材、９…カーテンレール、１０…縦筒体、１１…横筒体、１２…垂直筒体、１３…水平リブ、１４…垂直リブ、１５…係止部、１６…穴付ブラケット、１７…固定具、１８…枢軸手段、１９…固定具、２０…長穴、２１…貫孔、２２…枢結具、２３…切欠、２４…座体、２５…固定具、２６…環状部、２７…結束具、２８…小リング、２９…大リング、３０…頂点支柱、３１…固定具、３２…切溝、３３…上継手、３４…下継手、３５…角度調節手段、３６…枢結具、３７…歯部、３８…上支柱、３９…下支柱、４０…高さ調節手段、４１…貫孔、４２…透孔、４３…結合具、Ａ…幕体。
【図１】
2004316103.tif 000003
【図２】
2004316103.tif 000004
【図３】
2004316103.tif 000005
【図４】
2004316103.tif 000006
【図５】
2004316103.tif 000007
【図６】
2004316103.tif 000008
【図７】
2004316103.tif 000009
【図８】
2004316103.tif 000010
【図９】
2004316103.tif 000011
【図１０】
2004316103.tif 000012